(57)【要約】  セクター分割方式での上り信号の合成方法であって、ＲＲＵから送信された上り信号を合成する過程と、上位ノードの帯域幅制限に基づいて、合成後の信号の帯域幅を調整する過程と、帯域幅が調整された合成後の信号を更に処理するためにＢＢＵに送信する過程とを含む。基地局システムであって、ＢＢＵが設置されているチャネル処理カードと、前記チャネル処理カードに接続されているＲＲＵと、ＲＲＵから送信された上り信号を合成する合成ユニットとを含む。前記合成ユニットには、上位ノードの帯域幅制限に基づいて、合成後の信号の帯域幅を調整する帯域幅調整ユニットが設置されている。セクター分割方式でＲＲＵの上り信号を合成してから、ＢＢＵに送信して処理し、且つ資源の消耗及び信号の損失を有効に低減することができる。
2009520417.tif 000002
【特許請求の範囲】
【請求項１】
セクター分割方式での上り信号の合成方法であって、
リモート無線ユニットから送信された上り信号を合成する過程と、
上位ノードの帯域幅制限に基づいて、合成後の信号の帯域幅を調整する過程と、
帯域幅が調整された合成後の信号を更に処理するためにベースバンド処理ユニットに送信する過程と、
を含むことを特徴とする方法。
【請求項２】
前記上位ノードの帯域幅制限に基づいて、合成後の信号の帯域幅を調整する過程は、合成後の信号の帯域幅が上位ノードの信号対雑音比の要求に適合するか否かを判断し、適合する場合、帯域幅を調整せず、適合しない場合、合成後の信号の帯域幅を、前記上位ノードの信号対雑音比の要求に適合するように調整する過程を含むことを特徴とする請求項１に記載の方法。
【請求項３】
前記リモート無線ユニットから送信された上り信号を合成する過程は、リモート無線ユニットが、下位ノードから送信された上り信号と、ユーザ機器から送信された上り信号とを合成する過程を含むことを特徴とする請求項１に記載の方法。
【請求項４】
前記リモート無線ユニットから送信された上り信号を合成する過程は、リモート無線ユニットとベースバンド処理ユニットとの間に設置されている無線周波数信号交換ユニットが、当該無線周波数信号交換ユニットの各ポートで受信された、リモート無線ユニットから送信された上り信号を合成する過程を含むことを特徴とする請求項３に記載の方法。
【請求項５】
前記リモート無線ユニットから送信された上り信号を合成する過程は、リモート無線ユニットとベースバンド処理ユニットとの間に設置されている無線周波数信号交換ユニットが、当該無線周波数信号交換ユニットの各ポートで受信された、リモート無線ユニットから送信された上り信号を合成する過程を含むことを特徴とする請求項１に記載の方法。
【請求項６】
前記リモート無線ユニットから送信された上り信号を合成する過程は、第１ベースバンド処理ユニットが設置されている第１チャネル処理カードが、前記第１チャネル処理カードの各ポートで受信された、リモート無線ユニットから送信された上り信号を合成する過程を含むことを特徴とする請求項１〜５のいずれか１項に記載の方法。
【請求項７】
前記リモート無線ユニットから送信された上り信号を合成する過程は、第１ベースバンド処理ユニットが設置されている第１チャネル処理カードが、第２チャネル処理カードから受信した信号と、前記第１チャネル処理カードの各ポートで受信された、リモート無線ユニットから送信された上り信号とを合成する過程を更に含むことを特徴とする請求項６に記載の方法。
【請求項８】
前記リモート無線ユニットが、下位ノードから送信された上り信号と、ユーザ機器から送信された上り信号とを合成する前に、リモート無線ユニットが、下位ノードから送信された上り信号が当該リモート無線ユニットの所属するセルの上り信号であるか否かを判断し、当該リモート無線ユニットの所属するセルの上り信号である場合、当該上り信号と、ユーザ機器から送信された上り信号とを合成し、当該リモート無線ユニットの所属するセルの上り信号ではない場合、当該上り信号を透過的に送信する過程を更に含むことを特徴とする請求項３に記載の方法。
【請求項９】
前記第１ベースバンド処理ユニットが設置されている第１チャネル処理カードが、前記第１チャネル処理カードの各ポートで受信された、リモート無線ユニットから送信された上り信号を合成する過程は、前記第１ベースバンド処理ユニットが設置されている第１チャネル処理カードが、合成方法に従って、各ポートで受信された、リモート無線ユニットから送信された上り信号を２つの信号に合成する過程を含むことを特徴とする請求項６に記載の方法。
【請求項１０】
前記合成方法は、前記第１ベースバンド処理ユニットが設置されている第１チャネル処理カードが、前記第１チャネル処理カードの第１ポートで受信された上り信号を第１信号とし、前記第１チャネル処理カードの第２ポートで受信された上り信号を第２信号とし、前記第１チャネル処理カードの他のポートで受信された上り信号と第１信号とを合成する過程を含むことを特徴とする請求項９に記載の方法。
【請求項１１】
前記合成方法は、前記第１チャネル処理カードの１つ又は複数のポートで受信された上り信号を第１信号に合成し、前記第１チャネル処理カードの他のポートで受信された上り信号を第２信号に合成する過程を含むことを特徴とする請求項９に記載の方法。
【請求項１２】
前記第１ベースバンド処理ユニットが設置されている第１チャネル処理カードが、第２チャネル処理カードから受信した信号と、前記第１チャネル処理カードの各ポートで受信された、リモート無線ユニットから送信された上り信号とを合成する過程は、
前記第１ベースバンド処理ユニットが設置されている第１チャネル処理カードが、ケーブルを介して、第３信号及び第４信号を第２チャネル処理カードから受信する過程と、
前記第１チャネル処理カードが、前記第３信号と第１信号とを合成し、前記第４信号と第２信号とを合成する過程とを含み、
ここで、前記第１信号及び第２信号は、リモート無線ユニットから送信された上り信号を第１チャネル処理カードで１回合成して得られたものであり、前記第３信号及び第４信号は、リモート無線ユニットから送信された上り信号を第２チャネル処理カードで１回合成して得られたものであることを特徴とする請求項７に記載の方法。
【請求項１３】
基地局システムであって、
ベースバンド処理ユニットが設置されているチャネル処理カードと、
前記チャネル処理カードに接続されているリモート無線ユニットと、
リモート無線ユニットから送信された上り信号を合成する合成ユニットとを含み、
前記合成ユニットには、上位ノードの帯域幅制限に基づいて、合成後の信号の帯域幅を調整する帯域幅調整ユニットが設置されていることを特徴とする基地局システム。
【請求項１４】
前記合成ユニットが前記リモート無線ユニットに設置されていることを特徴とする請求項１３に記載の基地局システム。
【請求項１５】
前記基地局システムが、前記チャネル処理カード及び前記リモート無線ユニットに接続されている無線周波数信号交換ユニットを更に含み、前記合成ユニットが前記無線周波数信号交換ユニットに設置されていることを特徴とする請求項１３に記載の基地局システム。
【請求項１６】
前記基地局システムが、前記チャネル処理カード及び前記リモート無線ユニットに接続されている無線周波数信号交換ユニットを更に含み、前記合成ユニットが前記無線周波数信号交換ユニットに設置されていることを特徴とする請求項１４に記載の基地局システム。
【請求項１７】
前記合成ユニットが、前記チャネル処理カードに設置されており、前記チャネル処理カードの各ポート及び前記ベースバンド処理ユニットに接続されていることを特徴とする請求項１３〜１６のいずれか１項に記載の基地局システム。
【請求項１８】
前記合成ユニットが、前記チャネル処理カードの各ポートで受信された上り信号を、第１信号及び第２信号に合成する第１合成ユニットを含むことを特徴とする請求項１７に記載の基地局システム。
【請求項１９】
前記合成ユニットが、
前記第１合成ユニット及びベースバンド処理ユニットに接続されており、他のチャネル処理カードから送信された第３信号及び第４信号と、前記第１信号及び第２信号とを、２つの信号に合成する第２合成ユニットを更に含み、
ここで、前記第３信号及び第４信号は、前記他のチャネル処理カードで上り信号を１回合成して得られたものであることを特徴とする請求項１８に記載の基地局システム。
【発明の詳細な説明】
【技術分野】
【０００１】
本発明は、無線通信分野における基地局のネットワーキング技術に関し、特に、セクター分割方式での上り信号の合成方法及びその基地局システムに関する。
【背景技術】
【０００２】
第３世代移動通信技術の発展に伴って、基地局の設計方法は、ベースバンド処理ユニット（ＢＢＵ：Ｂａｓｅ  Ｂａｎｄ  Ｕｎｉｔ）と無線周波数（Ｒａｄｉｏ  Ｆｒｅｑｕｅｎｃｙ）ユニットとを分離する傾向がある。これが、リモート無線技術である。リモート無線ユニット（ＲＲＵ：Ｒｅｍｏｔｅ  Ｒａｄｉｏ  Ｕｎｉｔ）は、リモート無線技術に基づく典型的な応用であり、マシンルーム場所選択の困難及びフィーダー（ｆｅｅｄｅｒ）の損失などの問題を良く解決し、アンテナポートの送信電力を高めることができる。リモート無線技術は、基地局における無線周波数ユニットと無線信号処理ユニットを分離させることができ、つまり、ＲＲＵをＢＢＵから遠い場所に取り付けることができる。これにより、事業者のネットワーク構築にかつてない柔軟性を提供し、基地局システムの最後の一環である送信機の電力消耗も５０％近く低減させ、伝送回線コストと取付コストも３０％〜７０％低減させた。
特定の地域をカバーする（例えば屋内カバレッジ）場合、複数のＲＲＵを用いて異なるエリアをカバーすることがよくある。図１に示すように、各ＲＲＵのカバーエリアが同一のセルに属し、このようなカバー方式がセクター分割と称される。ここで、ＲＲＵとＢＢＵとの間のインターフェースは、信号対雑音比を確保するためにデジタル信号（ＩＱ信号）を採用する。
【０００３】
セクター分割のカバー方式は、主に屋内カバレッジに応用されるが、屋内の無線環境が相対的に安定しているため、一般に、アンテナ受信ダイバーシチ方式を採用しない。即ち、各ＲＲＵに１本の単一偏波アンテナのみを要するため、各ＲＲＵの各周波数点に、アンテナとキャリアペアにより一義的に決定される１つの上りＩＱ信号（即ちＡ＊Ｃ信号）のみを要する。ＷＣＤＭＡシステムにおいては、一般に２つのアンテナでのダイバーシチ受信が用いられ、即ち、ベースバンド処理ユニットで少なくとも２つの上りＩＱ信号を処理でき、そのうち、各上りＩＱ信号中で、各セルの信号帯域幅は、いつもＢｍｉｎである。
【発明の開示】
【発明が解決しようとする課題】
【０００４】
従来技術の不足点は、下記のとおりである。
１、従来技術において、ＲＲＵから送信された上り信号を合成しないため、大量のＲＲＵをサポートすることができない。図１からわかるように、ＲＲＵの個数が多い場合、セクター分割方式での上り信号を合成してから、ＢＢＵに送信して処理する必要がある。
２、上り信号の合成プロセスは、２つのデジタル信号の加算プロセスであり、資源の消耗と信号対雑音比の低減という問題が避けられない。そのため、合成の信号損失を低減するように、実行可能な上り信号の合成方法が必要となる。
【０００５】
本発明は、上記従来技術の不足に対し、セクター分割方式でＲＲＵの上り信号を合成してから、ＢＢＵに送信して処理し、且つ資源の消耗と信号の損失を有効的に低減することができるセクター分割方式での上り信号の合成方法を提供することを１つの目的とする。
【０００６】
本発明は、上記従来技術の不足に対し、ＲＲＵにより発生される上り信号の合成処理を実現し、且つ資源の消耗と信号の損失を有効的に低減することができる相応の基地局システムを提供することを他の目的とする。
【課題を解決するための手段】
【０００７】
上記目的を実現するために、本発明の実施形態において、リモート無線ユニットから送信された上り信号を合成する過程と、上位ノードの帯域幅制限に基づいて、合成後の信号の帯域幅を調整する過程と、帯域幅が調整された合成後の信号を更に処理するためにベースバンド処理ユニットに送信する過程とを含むセクター分割方式での上り信号の合成方法を提供している。
【０００８】
上記解決手段において、前記上位ノードの帯域幅制限に基づいて、合成後の信号の帯域幅を調整する過程は、合成後の信号の帯域幅が上位ノードの信号対雑音比の要求に適合するか否かを判断し、適合する場合、帯域幅を調整せず、適合しない場合、合成後の信号の帯域幅を、前記上位ノードの信号対雑音比の要求に適合するように調整する過程を含むようにしてよい。
【０００９】
好ましくは、前記リモート無線ユニットから送信された上り信号を合成する過程は、リモート無線ユニットが、下位ノードから送信された上り信号と、ユーザ機器から送信された上り信号とを合成する過程を含むようにしてよい。前記リモート無線ユニットから送信された上り信号を合成する過程は、リモート無線ユニットとベースバンド処理ユニットとの間に設置されている無線周波数信号交換ユニットが、当該無線周波数信号交換ユニットの各ポートで受信された、リモート無線ユニットから送信された上り信号を合成する過程を含むようにしてもよい。前記リモート無線ユニットから送信された上り信号を合成する過程は、第１ベースバンド処理ユニットが設置されている第１チャネル処理カードが、前記第１チャネル処理カードの各ポートで受信された、リモート無線ユニットから送信された上り信号を合成する過程を含むようにしてもよい。前記リモート無線ユニットから送信された上り信号を合成する過程は、第１ベースバンド処理ユニットが設置されている第１チャネル処理カードが、第２チャネル処理カードから受信した信号と、前記第１チャネル処理カードの各ポートで受信された、リモート無線ユニットから送信された上り信号とを合成する過程を含むようにしてもよい。
【００１０】
また、発明の目的を実現するために、本発明の実施形態において、ベースバンド処理ユニットが設置されているチャネル処理カードと、前記チャネル処理カードに接続されているリモート無線ユニットと、リモート無線ユニットから送信された上り信号を合成する合成ユニットとを含む基地局システムを提供している。
【００１１】
上記解決手段において、前記リモート無線ユニットから送信された上り信号を合成する合成ユニットには、上位ノードの帯域幅制限に基づいて、合成後の信号の帯域幅を調整する帯域幅調整ユニットが設置されているようにしてもよい。前記リモート無線ユニットから送信された上り信号を合成する合成ユニットが前記リモート無線ユニットに設置されているようにしてもよい。前記基地局システムが、前記チャネル処理カード及び前記リモート無線ユニットに接続されている無線周波数信号交換ユニットを更に含み、前記リモート無線ユニットから送信された上り信号を合成する合成ユニットが前記無線周波数信号交換ユニットに設置されているようにしてもよい。前記リモート無線ユニットから送信された上り信号を合成する合成ユニットが、前記チャネル処理カードに設置されており、前記チャネル処理カードの各ポート及び前記ベースバンド処理ユニットに接続されているようにしてもよい。前記合成ユニットは、前記チャネル処理カードの各ポートで受信された上り信号を、第１信号及び第２信号に合成する第１合成ユニットを含むようにしてよい。前記合成ユニットは、前記第１合成ユニット及びベースバンド処理ユニットに接続されており、他のチャネル処理カードから送信された第３信号及び第４信号と、前記第１信号及び第２信号とを、２つの信号に合成する第２合成ユニットを更に含むようにしてもよい。ここで、前記第３信号及び第４信号は、前記他のチャネル処理カードで上り信号を１回合成して得られたものである。
【発明の効果】
【００１２】
上記解決手段において、リモート無線ユニット又は無線周波数信号交換ユニット、又はベースバンド処理ユニットが設置されているチャネル処理カードで、リモート無線ユニットから送信された上り信号を合成することにより、実際のハードウェアの資源状況に基づいて、セクター分割方式でリモート無線ユニットから送信された上り信号に対する合成を柔軟に実現することができる。また、リモート無線ユニットから送信された上り信号を合成する際、上位ノードの帯域幅制限に基づいて、合成後の信号の帯域幅を調整することにより、資源の消耗及び信号の損失を有効に低減することができる。
【００１３】
上記のように、本発明の実施形態によれば、セクター分割方式でＲＲＵの上り信号を合成してから、ＢＢＵに送信して処理する有益な技術効果に達することができる。
【発明を実施するための最良の形態】
【００１４】
以下、図面及び実施形態を参照して、本発明の解決手段について更に詳しく説明する。
本発明に係る実施形態の構想は、セクター分割のカバー方式で、実際のハードウェア資源状況に基づいて異なる合成方法を柔軟に選択し、セクター分割方式でリモート無線ユニットから送信された上り信号の合成処理を実現する相応の合成ユニットを提供することにより、ＢＢＵが大量のＲＲＵをサポートできるようになり、且つ、帯域幅の調整によって、合成時の資源の消耗及び信号の損失を有効に低減することができる。
【００１５】
上記発明構想に基づいて、本発明の実施形態において、リモート無線ユニットから送信された上り信号を合成し、上位ノードの帯域幅制限に基づいて、合成後の信号の帯域幅を調整し、帯域幅が調整された合成後の信号を更に処理するためにベースバンド処理ユニットに送信することを含むセクター分割方式での上り信号の合成方法を提供する。
【００１６】
本発明により提供されるセクター分割方式での上り信号の合成方法の好ましい実施形態１において、リモート無線ユニットから送信された上り信号を合成してから、ベースバンドユニットに送信して処理し、且つ、前記リモート無線ユニットから送信された上り信号を合成する際、合成後の信号の帯域幅が上位ノードの所定の信号対雑音比の要求に適合するか否かを判断し、適合する場合、帯域幅を調整せず、適合しない場合、デジタルゲイン修正方法によって、合成後の信号の帯域幅を、前記上位ノードの所定の信号対雑音比の要求に適合するように調整する。好ましい本実施形態１では、上り信号を合成するとともに、帯域幅を調整することにより、資源の消耗及び信号の損失を有効に低減する方法を提供している。
【００１７】
本発明により提供されるセクター分割方式での上り信号の合成方法の好ましい実施形態２において、リモート無線ユニットは、１つの単一偏波アンテナを用いて信号を受信し、且つ、リモート無線ユニットで、受信された下位ノードからの上り信号とユーザ機器からの上り信号とを合成し、上位ノードの帯域幅制限に基づいて、合成後の信号の帯域幅を調整し、帯域幅が調整された合成後の信号を更に処理するためにベースバンド処理ユニットに送信する。前記リモート無線ユニットで、受信された下位ノードからの上り信号とユーザ機器からの上り信号とを合成することは、具体的に、リモート無線ユニットが、下位ノードからの上り信号が当該リモート無線ユニットの所属するセルの上り信号であるか否かを判断し、当該リモート無線ユニットの所属するセルの上り信号である場合、当該上り信号とユーザ機器からの上り信号とを合成し、当該リモート無線ユニットの所属するセルの上り信号ではない場合、当該上り信号を透過的に送信する。
【００１８】
本発明により提供されるセクター分割方式での上り信号の合成方法の好ましい実施形態３において、リモート無線ユニットとベースバンド処理ユニットとの間に設置される無線周波数信号交換ユニットが、当該無線周波数信号交換ユニットの各ポートで受信されたリモート無線ユニットからの上り信号を合成し、上位ノードの帯域幅制限に基づいて、合成後の信号の帯域幅を調整し、帯域幅が調整された合成後の信号を更に処理するためにベースバンド処理ユニットに送信する。
【００１９】
本発明により提供されるセクター分割方式での上り信号の合成方法の好ましい実施形態４において、ベースバンド処理ユニットが設置されているチャネル処理カードが、当該チャネル処理カードの各ポートで受信されたリモート無線ユニットからの上り信号を合成し、上位ノードの帯域幅制限に基づいて、合成後の信号の帯域幅を調整し、帯域幅が調整された合成後の信号を更に処理するためにベースバンド処理ユニットに送信する。
【００２０】
具体的に、前記ベースバンド処理ユニットが設置されているチャネル処理カードが、所定の合成方法に従って、各ポートで受信されたリモート無線ユニットからの上り信号を２つの信号に合成することを含むようにしてよい。
【００２１】
前記所定の合成方法は、前記ベースバンド処理ユニットが設置されているチャネル処理カードが、前記チャネル処理カードの所定の第１ポートで受信された上り信号を第１信号とし、前記チャネル処理カードの所定の第２ポートで受信された上り信号を第２信号とし、前記チャネル処理カードの他のポートで受信された上り信号と第１信号とを合成することを含むようにしてよい。
【００２２】
前記所定の合成方法は、前記チャネル処理カードの所定のいくつかのポートで受信された上り信号を第１信号に合成し、前記チャネル処理カードの他のポートで受信された上り信号を第２信号に合成することを含むようにしてもよい。当然、前記上り信号を受信する前記所定のポートの個数は、チャネル処理カードのポート総数より小さい。
【００２３】
本発明により提供されるセクター分割方式での上り信号の合成方法の好ましい実施形態５において、前記ベースバンド処理ユニットが設置されているチャネル処理カード同士間で、リモート無線ユニットから送信された上り信号を合成し、上位ノードの帯域幅制限に基づいて、合成後の信号の帯域幅を調整し、帯域幅が調整された合成後の信号を更に処理するためにベースバンド処理ユニットに送信する。
【００２４】
具体的に、ベースバンド処理ユニットが設置されている第１チャネル処理カードが、ケーブルを介して、第３信号及び第４信号と呼ばれる２つの上り信号を第２チャネル処理カードから受信し、この２つの上り信号と、それぞれ第１信号及び第２信号とを合成し、即ち、第３信号と第１信号とを合成し、第４信号と第２信号とを合成することを含むようにしてよい。ここで、前記第１信号及び第２信号は、リモート無線ユニットから送信された上り信号を第１チャネル処理カードで１回合成して得られたものであり、前記第３信号及び第４信号は、リモート無線ユニットから送信された上り信号を第２チャネル処理カードで１回合成して得られたものである。
【００２５】
上記好ましい実施形態２〜５において、上り信号を合成する異なる方法を提供している。リモート無線ユニット又は無線周波数信号交換ユニット、又はベースバンド処理ユニットが設置されているチャネル処理カードで、上り信号を合成することにより、異なるハードウェア複雑度の合成方法が提供されており、異なる環境の要求に適応することができる。
【００２６】
更に、上記好ましい実施形態２〜５における合成方法を２つずつ合成してよく、又はこの３つの合成方法を同時に採用してもよい。これにより、更に多い個数のＲＲＵをサポートし、異なる環境の要求に適応することができる。
【００２７】
更に、上記好ましい実施形態２〜５における合成方法では、上位ノードの帯域幅制限に基づいて、合成後の信号の帯域幅を調整する際、合成後の信号の帯域幅が上位ノードの所定の信号対雑音比の要求に適合するか否かを判断し、適合する場合、帯域幅を調整せず、適合しない場合、デジタルゲイン修正方法によって、合成後の信号の帯域幅を、前記上位ノードの所定の信号対雑音比の要求に適合するように調整するようにしてもよい。これにより、資源の消耗及び信号の損失を有効に低減する。
【００２８】
また、上記セクター分割での上り信号の合成方法に基づいて、本発明は、ベースバンド処理ユニットが設置されているチャネル処理カードと、前記チャネル処理カードに接続されているリモート無線ユニットと、リモート無線ユニットから送信された上り信号を合成する合成ユニットとを含む相応の基地局システムを提供している。
【００２９】
更に、資源の消耗及び信号の損失を低減するために、前記リモート無線ユニットから送信された上り信号を合成する合成ユニットには、上位ノードの帯域幅制限に基づいて、合成後の信号の帯域幅を調整する帯域幅調整ユニットを設置してもよい。
【００３０】
図２は、本発明により提供される基地局システムの好ましい実施形態１を示す図である。図２に示すように、この基地局システムは、リモート無線ユニット１と、リモート無線ユニット２と、ベースバンド処理ユニット３が設置されているチャネル処理カード４とを含む。リモート無線ユニット２は、リモート無線ユニット１の下位ノードとしてリモート無線ユニット１に接続されている。リモート無線ユニット１には、リモート無線ユニットから送信された上り信号を合成するための合成ユニット５が設置されている。リモート無線ユニット１が、リモート無線ユニット２から送信された上り信号を受信した後、リモート無線ユニット２から送信された上り信号を合成するための合成ユニット５が、当該上り信号と、リモート無線ユニット１で受信されたユーザ機器からの上り信号とを合成し、その後、チャネル処理カード４を経由してベースバンド処理ユニット３に送信する。
【００３１】
更に、リモート無線ユニット１が、リモート無線ユニット２から送信された上り信号を受信した後、リモート無線ユニット２から送信された上り信号を合成するための合成ユニット５は、まず当該上り信号がリモート無線ユニット１の所属するセルの上り信号であるか否かを判断し、リモート無線ユニット１の所属するセルの上り信号である場合、当該上り信号と、リモート無線ユニット１で受信されたユーザ機器からの上り信号とを合成し、その後、チャネル処理カード４を経由してベースバンド処理ユニット３に送信し、リモート無線ユニット１の所属するセルの上り信号ではない場合、当該上り信号を透過的に送信するようにしてもよい。
【００３２】
更に、リモート無線ユニットから送信された上り信号を合成するための合成ユニット５には、上位ノード（本実施形態において、ベースバンド処理ユニット３が設置されているチャネル処理カード４である）の帯域幅制限に基づいて、合成後の信号の帯域幅を調整するユニットが設置されてよい。当該ユニットは、合成後の信号の帯域幅が上位ノードの所定の信号対雑音比の要求に適合するか否かを判断し、適合する場合、帯域幅を調整せず、適合しない場合、デジタルゲイン修正方法によって、合成後の信号の帯域幅を、前記上位ノードの所定の信号対雑音比の要求に適合するように調整する。
【００３３】
本発明により提供される基地局システムの好ましい実施形態２を示す図３を参照すると、この基地局システムは、リモート無線ユニット３１と、リモート無線ユニット３２と、無線周波数信号交換ユニット３３と、ベースバンド処理ユニット３４が設置されているチャネル処理カード３５とを含む。無線周波数信号交換ユニット３３には、リモート無線ユニットから送信された上り信号を合成するための合成ユニット３６が設置されている。無線周波数信号交換ユニット３３が、リモート無線ユニット３１及びリモート無線ユニット３２から送信された上り信号を受信した後、合成ユニット３６により上り信号を合成し、その後、チャネル処理カード３５を経由してベースバンド処理ユニット３４に送信する。更に、合成ユニット３６には、上位ノード（本実施形態において、ベースバンド処理ユニット３４が設置されているチャネル処理カード３５である）の帯域幅制限に基づいて、合成後の信号の帯域幅を調整する帯域幅調整ユニットが設置されてもよい。
【００３４】
本発明により提供される基地局システムの好ましい実施形態３を示す図４を参照すると、この基地局システムは、リモート無線ユニット４１０と、リモート無線ユニット４１１と、リモート無線ユニット４１２と、リモート無線ユニット４１３と、無線周波数信号交換ユニット４２０と、無線周波数信号交換ユニット４２１と、ベースバンド処理ユニット４３が設置されているチャネル処理カード４４とを含む。無線周波数信号交換ユニット４２０には、リモート無線ユニットから送信された上り信号を合成するための合成ユニット４５が設置されており、無線周波数信号交換ユニット４２１には合成ユニット４６が設置されており、チャネル処理カード４４には合成ユニット４７が設置されている。無線周波数信号交換ユニット４２０が、リモート無線ユニット４１０及びリモート無線ユニット４１１から送信された上り信号を受信した後、合成ユニット４５により上り信号を合成してから、チャネル処理カード４４に送信する。無線周波数信号交換ユニット４２１が、リモート無線ユニット４１２及びリモート無線ユニット４１３から送信された上り信号を受信した後、合成ユニット４６により上り信号を合成してから、チャネル処理カード４４に送信する。チャネル処理カード４４が、無線周波数信号交換ユニット４２０及び無線周波数信号交換ユニット４２１から送信された上り信号を受信した後、合成ユニット４７により上り信号を合成してから、ベースバンド処理ユニット４３に送信する。
【００３５】
更に、チャネル処理カード４４において、無線周波数信号交換ユニット又はリモート無線ユニットから送信された上り信号を受信するポートが３つ以上ある場合、チャネル処理カード４４の合成ユニット４７は、所定の合成方法を採用して、チャネル処理カード４４の各ポートで受信された上り信号を２つの信号に合成するようにしてよい。例えば、所定の合成方法は、チャネル処理カード４４の所定の１つのポートで受信された上り信号をＡ信号とし、チャネル処理カード４４の所定の他の１つのポートで受信された上り信号をＢ信号とし、前記チャネル処理カードの他のポートで受信された上り信号と、Ａ信号又はＢ信号とを合成することを含むようにしてよい。
【００３６】
図５は、本発明により提供される基地局システムの好ましい実施形態４を示す図である。図５において、ベースバンド処理ユニット５１が設置されているチャネル処理カード５２と、ベースバンド処理ユニット５３が設置されているチャネル処理カード５４との間で上り信号を合成する方式について示している。チャネル処理カード５２にはポート５２０、ポート５２１及びポート５２２が設置されており、チャネル処理カード５４にはポート５４０、ポート５４１及びポート５４２が設置されている。また、チャネル処理カード５２は、ポート５２３を介してチャネル処理カード５４のポート５４３に接続されている。チャネル処理カード５２には、第１合成ユニット５５０及び第２合成ユニット５６０が設置されており、チャネル処理カード５４には、第１合成ユニット５５１及び第２合成ユニット５６１が設置されている。第１合成ユニット５５０は、チャネル処理カード５２のポート５２０、ポート５２１及びポート５２２で受信された上り信号を合成し、第１合成ユニット５５１は、チャネル処理カード５４のポート５４０、ポート５４１及びポート５４２で受信された上り信号を合成する。第２合成ユニット５６０は、チャネル処理カード５２の第１合成ユニット５５０から出力された信号と、ポート５２３で受信された、チャネル処理カード５４の第１合成ユニット５５１から出力された信号とを２つの信号に合成する。例えば、第１合成ユニット５５０から出力されたＡ信号と、ポート５２３で受信された、第１合成ユニット５５１から出力されたＡ信号とを合成し、且つ第１合成ユニット５５０から出力されたＢ信号と、ポート５２３で受信された、第１合成ユニット５５１から出力されたＢ信号とを合成し、その後、ベースバンド処理ユニット５１に送信して処理するようにしてよい。同様に、第２合成ユニット５６１は、チャネル処理カード５４の第１合成ユニット５５１から出力された信号と、ポート５４３で受信された、チャネル処理カード５２の第１合成ユニット５５０から出力された信号とを２つの信号に合成してから、ベースバンド処理ユニット５３に送信して処理する。
【００３７】
図６は、本発明により提供される基地局システムの好ましい実施形態５を示す図である。この基地局システムは、リモート無線ユニット６１０、リモート無線ユニット６１１、リモート無線ユニット６１０とリモート無線ユニット６１１とに接続されている無線周波数信号交換ユニット６２０、リモート無線ユニット６１２、リモート無線ユニット６１３、無線周波数信号交換ユニット６２０とリモート無線ユニット６１２とリモート無線ユニット６１３とに接続されている無線周波数信号交換ユニット６２１、リモート無線ユニット６１４、リモート無線ユニット６１４に接続されているリモート無線ユニット６１５、リモート無線ユニット６１５に接続されている無線周波数信号交換ユニット６２２、リモート無線ユニット６１６、リモート無線ユニット６１７、リモート無線ユニット６１７に接続されているリモート無線ユニット６１８、無線周波数信号交換ユニット６２２とリモート無線ユニット６１６とリモート無線ユニット６１７とに接続されている、ベースバンド処理ユニット６４０が設置されているチャネル処理カード６３０、リモート無線ユニット６１８と無線周波数信号交換ユニット６２１とに接続されている、ベースバンド処理ユニット６４１が設置されているチャネル処理カード６３１を含む。チャネル処理カード６３０のポート６５０と、チャネル処理カード６３１のポート６５１とがケーブルを介して接続されている。無線周波数信号交換ユニット６２０には、リモート無線ユニット６１０及びリモート無線ユニット６１１から送信された上り信号を合成するための合成ユニット（図示せず）が設置されている。無線周波数信号交換ユニット６２１には、無線周波数信号交換ユニット６２０、リモート無線ユニット６１２及びリモート無線ユニット６１３から送信された上り信号を合成するための合成ユニット（図示せず）が設置されている。リモート無線ユニット６１５には、リモート無線ユニット６１４から送信された上り信号と、ユーザ機器から送信された上り信号とを合成するための合成ユニット（図示せず）が設置されている。無線周波数信号交換ユニット６２２には、リモート無線ユニット６１５から送信された上り信号を合成するための合成ユニット（図示せず）が設置されている。チャネル処理カード６３０には、無線周波数信号交換ユニット６２２、リモート無線ユニット６１６及びリモート無線ユニット６１７から送信された上り信号を合成するための第１合成ユニット６６０が設置されている。チャネル処理カード６３１には、リモート無線ユニット６１８及び無線周波数信号交換ユニット６２１から送信された上り信号を合成するための第１合成ユニット６６１が設置されている。また、チャネル処理カード６３０には、第１合成ユニット６６０から出力された信号と、ポート６５０で受信されたチャネル処理カード６３１の信号とを合成するための第２合成ユニット６７０が設置されている。例えば、第２合成ユニット６７０は、チャネル処理カード６３１から送信されたＡ信号と、チャネル処理カード６３０の１回合成処理後のＡ信号とを合成し、且つチャネル処理カード６３１から送信されたＢ信号と、チャネル処理カード６３０の１回合成処理後のＢ信号とを合成する。同様に、チャネル処理カード６３１には、第１合成ユニット６６１から出力された信号と、ポート６５１で受信されたチャネル処理カード６３０の信号とを合成するための第２合成ユニット６７１が設置されている。
【００３８】
上記本発明により提供される基地局システムの好ましい実施形態３〜５において、リモート無線ユニット及び／又は無線周波数信号交換ユニットに設置されている合成ユニットには、上位ノードの帯域幅制限に基づいて、合成後の信号の帯域幅を調整する帯域幅調整ユニットが設置されてよい。これにより、資源の消耗及び信号の損失を有効に低減する。
【００３９】
そのほか、当業者が実際のハードウェア資源状況によって、本発明により提供される合成ユニットの設置方式及びその合成方式を柔軟に採用することができる。それらはやはり本発明の保護範囲内にある。
【００４０】
最後に説明すべきものとして、上記実施形態は本発明の解決手段を説明することのみに用いられ、本発明に対して制限的に理解するものではない。上記好ましい実施形態を参照して本発明について詳しく説明したが、当業者は、本発明の解決手段に対して修正又は均等置換えをやはり行うことができ、このような修正又は均等置換えが本発明の精神と範囲を逸脱しないことと理解すべきである。
【図面の簡単な説明】
【００４１】
【図１】従来技術に係るセクター分割のカバー方式を示す図である。
【図２】本発明により提供される基地局システムの好ましい実施形態１を示す図である。
【図３】本発明により提供される基地局システムの好ましい実施形態２を示す図である。
【図４】本発明により提供される基地局システムの好ましい実施形態３を示す図である。
【図５】本発明により提供される基地局システムの好ましい実施形態４を示す図である。
【図６】本発明により提供される基地局システムの好ましい実施形態５を示す図である。
【符号の説明】
【００４２】
１，２，３１，３２，４１０，４１１，４１２，４１３，６１０，６１１，６１２，６１３，６１４，６１５，６１６，６１７，６１８  リモート無線ユニット
３，３４，４３，５１，５３，６４０，６４１  ベースバンド処理ユニット
４，３５，４４，５２，５４，６３０，６３１  チャネル処理カード
５，３６，４５，４６，４７  合成ユニット
３３，４２０，４２１，６２０，６２１，６２２  無線周波数信号交換ユニット
５２０，５２１，５２２，５２３，５４０，５４１，５４２，５４３，６５０，６５１  ポート
５５０，５５１，６６０，６６１  第１合成ユニット
５６０，５６１，６７０，６７１  第２合成ユニット
【図１】
2009520417.tif 000003
【図２】
2009520417.tif 000004
【図３】
2009520417.tif 000005
【図４】
2009520417.tif 000006
【図５】
2009520417.tif 000007
【図６】
2009520417.tif 000008
【手続補正書】
【提出日】平成20年6月19日(2008.6.19)
【手続補正１】
【補正対象書類名】特許請求の範囲
【補正対象項目名】全文
【補正方法】変更
【補正の内容】
【特許請求の範囲】
【請求項１】
セクター分割方式での上り信号の合成方法であって、
リモート無線ユニットから送信された上り信号を合成する過程と、
合成後の信号の帯域幅が合成後の信号の帯域幅制限に適合しない場合、合成後の信号の帯域幅制限に基づいて、合成後の信号の帯域幅を調整する過程と、
合成後の信号を更に処理するためにベースバンド処理ユニットに送信する過程と、
を含むことを特徴とする方法。
【請求項２】
前記合成後の信号の帯域幅制限に基づいて、合成後の信号の帯域幅を調整する過程は、合成後の信号の帯域幅が信号対雑音比の要求に適合するか否かを判断し、適合しない場合、合成後の信号の帯域幅を、前記信号対雑音比の要求に適合するように調整する過程を含むことを特徴とする請求項１に記載の方法。
【請求項３】
前記リモート無線ユニットから送信された上り信号を合成する過程は、リモート無線ユニットが、下位ノードから送信された上り信号と、ユーザ機器から送信された上り信号とを合成する過程を含むことを特徴とする請求項１に記載の方法。
【請求項４】
前記リモート無線ユニットが、下位ノードから送信された上り信号と、ユーザ機器から送信された上り信号とを合成する過程は、下位ノードから送信された上り信号が当該リモート無線ユニットの所属するセルの上り信号であると判断された場合、前記下位ノードから送信された上り信号と、前記ユーザ機器から送信された上り信号とを合成する過程を含むことを特徴とする請求項３に記載の方法。
【請求項５】
前記リモート無線ユニットから送信された上り信号を合成する過程は、リモート無線ユニットとベースバンド処理ユニットとの間に設置されている無線周波数信号交換ユニットが、当該無線周波数信号交換ユニットの各ポートで受信された、リモート無線ユニットから送信された上り信号を合成する過程を含むことを特徴とする請求項１に記載の方法。
【請求項６】
前記リモート無線ユニットから送信された上り信号を合成する過程は、第１ベースバンド処理ユニットが設置されている第１チャネル処理カードが、前記第１チャネル処理カードの各ポートで受信された、リモート無線ユニットから送信された上り信号を合成する過程を含むことを特徴とする請求項１〜５のいずれか１項に記載の方法。
【請求項７】
前記第１ベースバンド処理ユニットが設置されている第１チャネル処理カードが、前記第１チャネル処理カードの各ポートで受信された、リモート無線ユニットから送信された上り信号を合成する過程は、
前記第１チャネル処理カードの第１ポートで受信された上り信号を第１信号とし、前記第１チャネル処理カードの第２ポートで受信された上り信号を第２信号とし、前記第１チャネル処理カードの他のポートで受信された上り信号と第１信号とを合成する過程、又は
前記第１チャネル処理カードの１つ又は複数のポートで受信された上り信号を第１信号に合成し、前記第１チャネル処理カードの他のポートで受信された上り信号を第２信号に合成する過程を含むことを特徴とする請求項６に記載の方法。
【請求項８】
前記リモート無線ユニットから送信された上り信号を合成する過程は、第１ベースバンド処理ユニットが設置されている第１チャネル処理カードが、第２チャネル処理カードから受信した信号と、前記第１チャネル処理カードの各ポートで受信された、リモート無線ユニットから送信された上り信号とを合成する過程を更に含むことを特徴とする請求項６に記載の方法。
【請求項９】
前記第１ベースバンド処理ユニットが設置されている第１チャネル処理カードが、第２チャネル処理カードから受信した信号と、前記第１チャネル処理カードの各ポートで受信された、リモート無線ユニットから送信された上り信号とを合成する過程は、
前記第１ベースバンド処理ユニットが設置されている第１チャネル処理カードが、ケーブルを介して、第３信号及び第４信号を第２チャネル処理カードから受信する過程と、
前記第１チャネル処理カードが、前記第３信号と第１信号とを合成し、前記第４信号と第２信号とを合成する過程とを含み、
ここで、前記第１信号及び第２信号は、リモート無線ユニットから送信された上り信号を第１チャネル処理カードで１回合成して得られたものであり、前記第３信号及び第４信号は、リモート無線ユニットから送信された上り信号を第２チャネル処理カードで１回合成して得られたものであることを特徴とする請求項８に記載の方法。
【請求項１０】
基地局システムであって、
ベースバンド処理ユニットが設置されているチャネル処理カードと、
前記チャネル処理カードに接続されているリモート無線ユニットと、
リモート無線ユニットから送信された上り信号を合成する合成ユニットとを含み、
前記合成ユニットには、合成後の信号の帯域幅が合成後の信号の帯域幅制限に適合しない場合、合成後の信号の帯域幅制限に基づいて、合成後の信号の帯域幅を調整する帯域幅調整ユニットが設置されていることを特徴とする基地局システム。
【請求項１１】
前記合成ユニットが前記リモート無線ユニットに設置されていることを特徴とする請求項１０に記載の基地局システム。
【請求項１２】
前記基地局システムが、前記チャネル処理カード及び前記リモート無線ユニットに接続されている無線周波数信号交換ユニットを更に含み、前記合成ユニットが前記無線周波数信号交換ユニットに設置されていることを特徴とする請求項１０又は１１に記載の基地局システム。
【請求項１３】
前記合成ユニットが、前記チャネル処理カードに設置されており、前記チャネル処理カードの各ポート及び前記ベースバンド処理ユニットに接続されていることを特徴とする請求項１０〜１２のいずれか１項に記載の基地局システム。
【請求項１４】
前記合成ユニットが、前記チャネル処理カードの各ポートで受信された上り信号を、第１信号及び第２信号に合成する第１合成ユニットを含むことを特徴とする請求項１３に記載の基地局システム。
【請求項１５】
前記合成ユニットが、
前記第１合成ユニット及びベースバンド処理ユニットに接続されており、他のチャネル処理カードから送信された第３信号及び第４信号と、前記第１信号及び第２信号とを、２つの信号に合成する第２合成ユニットを更に含み、
ここで、前記第３信号及び第４信号は、前記他のチャネル処理カードで上り信号を１回合成して得られたものであることを特徴とする請求項１４に記載の基地局システム。
【国際調査報告】
2009520417.tif 000009
2009520417.tif 000010
2009520417.tif 000011
2009520417.tif 000012